(57)【特許請求の範囲】
【請求項１】
通水管内に挿入できる大きさの拡開管内へ、内径により水量を規制し得るようにした節水筒を挿通し、前記拡開管の先端内側に外端側を肉厚にした楔管を嵌挿し、該楔管の内側に設けた螺糸部と、前記節水筒の先端部に設けた螺子部とを螺合させて、節水筒の回転により楔管を移動させて拡開管を拡開して通水管に固定できるようにし、前記通水管の端面に前記拡開管の鍔が当接できるようにしたことを特徴とする節水駒。
【請求項２】
内径により水量を規制し得るようにした節水筒の先端部に、先端側を大径にした錐状の膨大部を設け、前記節水筒に拡開管を嵌装して、前記節水筒の基端部外側に設けた螺糸部に、前記拡開管の鍔部の外端面に内面が当接するナットを螺合し、前記節水筒を軸方向に移動可能として拡開管を拡開させて通水管に固定できるようにしたことを特徴とする節水駒。
【請求項３】
請求項１又は２記載の節水駒を通水管端に挿入し、節水筒又はナットを回転して、拡開管の先端側を前記通水管の内壁に当接固定したことを特徴とする節水装置。
【請求項４】
請求項１又は２記載の節水駒を通水管端に挿入し、節水筒又はナットを回転して、拡開管の先端側を前記通水管の内壁に当接固定し、前記節水駒の端部へ網及び多孔板を内蔵した分散筒を固定したことを特徴とする節水装置。
【発明の詳細な説明】
【０００１】
【発明の属する技術分野】
この発明は、単独では固定できない節水駒を、通水管又は水栓の放水管に取付けることができるようにすることを目的とした節水駒及び節水装置に関する。
【０００２】
【従来の技術】
従来通水管の接続部などへ、通水孔を規制して節水効果をあげるようにした節水駒を介装させることが知られていた（実用新案登録第３０２６３００号）。
【０００３】
【発明により解決しようとする課題】
従来知られていた節水駒は、直接の取付け手段がなく、通水管の接続部などの前後の部材によって固定され、目的を達成していた。前記従来の節水駒は、通水孔のサイズによって節水率が決まる為に、節水量が正確に算定できるので、全国各地において使用され好評を博していたが、自らの取付け手段を持たない問題点があった。
【０００４】
【課題を解決するための手段】
この発明は、通水管又は水栓の放水管端などであって節水駒の取付け手段を持たない場合においても、拡開管によって節水駒を容易に固定できるようにして、前記従来の問題点を解決したのである。
【０００５】
即ち節水駒の発明は、通水管内に挿入できる大きさの拡開管内へ、内径により水量を規制し得るようにした節水筒を挿通し、前記拡開管の先端内側に外端側を肉厚にした楔管を嵌挿し、該楔管の内側に設けた螺糸部と、前記節水筒の先端部に設けた螺子部とを螺合させて、節水筒の回転により楔管を移動させて拡開管を拡開して通水管に固定できるようにし、前記通水管の端面に前記拡開管の鍔が当接できるようにしたことを特徴とする節水駒であり、内径により水量を規制し得るようにした節水筒の先端部に、先端側を大径にした錐状の膨大部を設け、前記節水筒に拡開管を嵌装して、前記節水筒の基端部外側に設けた螺糸部に、前記拡開管の鍔部の外端面に内面が当接するナットを螺合し、前記節水筒を軸方向に移動可能として拡開管を拡開させて通水管に固定できるようにしたことを特徴とする節水駒である。
【０００６】
次に装置の発明は、請求項１又は２記載の節水駒を通水管端に挿入し、節水筒又はナットを回転して、拡開管の先端側を前記通水管の内壁に当接固定したことを特徴とする節水装置であり、請求項１又は２記載の節水駒を通水管端に挿入し、節水筒又はナットを回転して、拡開管の先端側を前記通水管の内壁に当接固定し、前記節水駒の端部へ網及び多孔板を内蔵した分散筒を固定したことを特徴とする節水装置である。
【０００７】
前記節水駒中の節水筒の材質は、不銹性であって高速水流であっても摩耗のおそれが少ないステンレススチールが好ましく、他の部品は眞鍮などのように、比較的軟質で不銹性の部材を使用することができる。
【０００８】
前記発明における節水駒の固定手段は、送水管などを傷つけることなく、手軽でかつ容易確実に節水駒を固定できるものが好ましい。
【０００９】
【発明の実施の形態】
この発明は、通水管内へ拡開固定する拡開管を挿入し、この拡開管内に節水筒を挿入し、前記拡開管の先端内側へ挿入した楔管と、前記節水筒との螺合により、楔管を移動させて拡開管を拡開し、これを通水管の内壁に加圧して固定する。
【００１０】
前記固定手段は、拡開管を使用する場合と、掛止部を設ける場合とがあるが、使用場所に応じて定める。
【００１１】
【実施例１】
この発明の実施例を図１、２、３に基づいて説明する。この実施例は、理髪における洗髪時に用いるシャワーの節水に関するものである。
【００１２】
給水管８に連結したホース１の先端に通水管２を連結し、該通水管２内へ鍔３付の拡開管４を挿通し、該拡開管４内へ、節水筒５を挿通する。この節水筒５の先端側螺子５ａを、前記拡開管４の先端内側へ挿入した楔管６の螺糸部６ａに螺合させて、この発明の節水装置１０が完成する（図２（ａ））。図中３ｄは回り止め用の平面部、７は通水管２に連結したシャワーヘッド、７ａはシャワーヘッド７の取付けカバーである。前記拡開管４と、節水筒５及び楔管６により節水駒９を構成する（図１（ｂ））。また拡開管４の管体部には中心軸と平行に数本（例えば４本〜６本）の溝４ａが設けてあって、楔管６の螺入により拡開管４の管体部が拡開し、該拡開部を前記通水管２の内壁に圧接固定（固定手段）する。
【００１３】
前記実施例において、図１−（ｂ）中節水筒５を正回転すれば、楔管６は矢示１１の方向へ移動して、拡開管壁が通水管２の内壁と係止し、逆回転すれば、楔管６は矢示１２の方向へ移動して、前記係止を解除する。前記実施例においては、節水筒５の頭部を６角状にしたが、この角頭は回転を容易にする為であって、６角状に限定されるものではない。
【００１４】
次に図２−（ｂ）は、節水駒９の他の例を示すものであって、拡開管４の内側へ、先端部に錐状の膨大部５ｂを有する節水筒５を挿入し、該節水筒５の基端の螺子部５ｃにナット５ｄを螺合し、該ナット５ｄの回転により、節水筒５を矢示１１又は１２の方向へ移動し、節水筒の膨大部５ｂにより、拡開管４を拡開できるようにしたものである。
【００１５】
【実施例２】
この発明の他の実施例を図４、５に基づいて説明する。水栓１３の放水管１３ａの端部へ拡開管１４を挿入すると共に、該拡開管１４の内部へ節水筒１５を挿入して、該節水筒１５の螺子部１５ａを、拡開管１４端の楔管１６の螺糸部１６ａを螺合させる。そこで節水筒１５の正逆回転により楔管１６を矢示１７又は１８の方向へ移動させると、拡開管１４（節水筒１５も同時に）と放水管１３とを係止又は解除することができる（図４（ａ））。
【００１６】
前記拡開管１４の鍔部１４ａの外周ねじ部１４ｂに分散筒１９を螺合させれば、この発明の節水装置２０が構成できる。図中２１、２１ａは網、２２は多孔板、２３はスペーサー、２４はＯリングである。
【００１７】
前記実施例において、矢示２５の方向から送られた水は、節水筒１５を通過して水量規制を受け、筒体３３内へ網２１、２１ａ、多孔板２２を挿入セットした網筒３２を矢示２６のように通過し、外界へ多泡水となって放出される。
【００１８】
また他の実施例は、節水筒３０と放水管２９とは固定することなく、放水管２９へ固定環２７をビス２８で固定し、固定環２７へ節水筒３０と分散筒１９を螺合固定したもので、図中２４はＯリングである（図４（ｂ））。また放水管２９に固定環２７を固定することなく、合成樹脂筒３１へインサートした節水筒３０を放水管２９へ圧入固定したものである。図中１９は合成樹脂筒３１の鍔部３１ａに螺合した分散筒である。
【００１９】
【発明の効果】
この発明は、固定具付きの節水駒であるから、通水管端に連結部がない場合であっても、正確かつ容易に取付けることができる効果がある。
【００２０】
またこの発明の節水装置は、固定具付きの節水駒を使用するので、既設の通水管に加工することなく、簡単容易に節水施工できる効果がある。
【図面の簡単な説明】
【図１】（ａ）この発明の節水駒の部品の展開斜視図。
（ｂ）同じく組立断面図。
【図２】（ａ）同じく装着部の断面図。
（ｂ）同じく他の実施例の組立断面図。
【図３】同じく使用状態の一部を省略した概念図。
【図４】（ａ）同じく他の実施例の断面図。
（ｂ）同じく止環を用いた実施例の断面図。
（ｃ）同じく合成樹脂筒を用いた実施例の断面図。
【図５】同じく使用状態の一部を省略した概念図。
【符号の説明】
１  ホース
２  通水管
３  鍔
４、１４  拡開管
５  節水筒
６、１６  楔管
７  シャワーヘッド
８  給水管
９  節水駒
１０、２０  節水装置
１３、２９  放水管
１５、３０  節水筒
１９  分散筒
２１  網
２２  多孔板
２３  スペーサー
２４  パッキング
２７  固定環
２８  ビス
３１  キャップ
３２  網筒
３３  筒体
【図１】
0004645966.tif 000002
【図２】
0004645966.tif 000003
【図３】
0004645966.tif 000004
【図４】
0004645966.tif 000005
【図５】
0004645966.tif 000006